(57)【要約】【課題】  糸選択装置の設置を省略することができるとともに糸の巻き付けと糸の巻き付け休止との切り替えを極めてスムーズに行うことができ、複本数同時整経による柄整経を効率よく短時間で整経することができるようにした糸回収機構付サンプル整経機を提供する。【解決手段】  内ドラム板及び外ドラム板を備えた整経ドラムと、該整経ドラムの外ドラム板に相対向して設けられかつ複数個のボビンを有する回転クリールと、該回転クリールの回転と同期的に回転しかつ該ボビンから引き出された糸を該整経ドラムに巻き付ける複数本のヤーンガイドと、該ボビンから引き出されかつ該整経ドラムに巻き付ける巻付糸と該整経ドラムに巻き付けない休止糸とに分ける糸巻付切替手段と、該休止糸を回収する糸回収機構とからなるようにした。【選択図】  図１
2005213695.tif 000002
【特許請求の範囲】
【請求項１】
内ドラム板及び外ドラム板を備えた整経ドラムと、該整経ドラムの外ドラム板に相対向して設けられかつ複数個のボビンを有する回転クリールと、該回転クリールの回転と同期的に回転しかつ該ボビンから引き出された糸を該整経ドラムに巻き付ける複数本のヤーンガイドと、該ボビンから引き出されかつ該整経ドラムに巻き付ける巻付糸と該整経ドラムに巻き付けない休止糸とに分ける糸巻付切替手段と、該休止糸を回収する糸回収機構とからなることを特徴とする糸回収機構付サンプル整経機。
【請求項２】
前記糸巻付切替手段が、前記ヤーンガイドを糸巻き付け位置及び糸巻き付け休止位置に変位可能とすることにより構成され、該ヤーンガイドが糸巻き付け位置にある時は前記糸を前記整経ドラムに巻き付けて巻付糸としかつ該ヤーンガイドが糸巻き付け休止位置にある時は該糸の前記整経ドラムへの巻き付けを行わないで休止糸とするようにしたことを特徴とする請求項１記載のサンプル整経機。
【請求項３】
前記整経ドラムの外ドラム板側の端部にガイドロッドを取り付け、該ガイドロッドが該外ドラム板側の端部に取り付けられたリング状ガイドロッド本体と、該ガイドロッド本体の一部分を開口して形成された糸ガイド開口部と、該糸ガイド開口部を開閉するように該糸ガイド開口部の一端縁部に取り付けられた可動片とから構成され、該ガイドロッドを前記糸巻付切替手段として用い、該可動片が、該糸ガイド開口部を閉鎖する中立方向、巻付糸を休止糸の軌道に引き入れる休止方向、及び休止糸を巻付糸の軌道に引き出す巻付方向の少なくとも３つの方向に変位するようにしたことを特徴とする請求項１記載のサンプル整経機。
【請求項４】
前記整経ドラムの外ドラム板側の端部にガイドロッドを取り付け、該ガイドロッドが該外ドラム板側の端部に取り付けられたリング状ガイドロッド本体と、該ガイドロッド本体の一部分を開口して形成された糸ガイド開口部と、該糸ガイド開口部を開閉するように該糸ガイド開口部の一端縁部に取り付けられた可動片とから構成され、該ガイドロッドを前記糸巻付切替手段からの糸の軌道変換手段として用い、該可動片が、該糸ガイド開口部を閉鎖する中立方向、巻付糸を休止糸の軌道に引き入れる休止方向、及び休止糸を巻付糸の軌道に引き出す巻付方向の少なくとも３つの方向に変位するようにしたことを特徴とする請求項１又は２記載のサンプル整経機。
【請求項５】
前記糸回収機構が、前記整経ドラムの外ドラム板の外方でかつ整経ドラム中心線上に設置された糸回収ガイドと、該糸回収ガイドと該外ドラム板との間に設置された糸巻取リールとからなることを特徴とする請求項１〜４のいずれか１項記載のサンプル整経機。
【請求項６】
前記糸巻付切替手段により巻付糸から休止糸になった糸及び休止糸から巻付糸になった糸は所定時間経過後糸切断手段により切断されるようにしたことを特徴とする請求項１〜５のいずれか１項記載のサンプル整経機。
【請求項７】
前記回転クリール及び複数本のヤーンガイドが前記整経ドラムに対して接離自在に移動可能とされていることを特徴とする請求項１〜６のいずれか１項記載のサンプル整経機。
【請求項８】
整経開始に先立ち、前記ボビンから引き出した糸をヤーンガイド先端のガイド穴に通した後、前記糸回収ガイドの糸回収孔を通し、前記糸巻取リールに固定し、その後整経を開始することを特徴とする請求項５〜７のいずれか１項記載のサンプル整経機。
【発明の詳細な説明】
【技術分野】
【０００１】
本発明は、予め設定された柄データ（糸配列順、色糸配列順）に従い、複本数同時整経による柄整経ができる新規な糸回収機構付サンプル整経機に関するものである。
【背景技術】
【０００２】
従来使用されているサンプル整経機としては、例えば、特許文献１に開示された構造、即ち異種（異色又は撚りの異なる）の糸を巻いてある複数本のボビンを立てる固定式クリールを用い、予め設定された柄データ（糸配列順、色糸配列順）に従い糸選択装置によって糸交換を行いつつヤーンガイドにより整経ドラム上に糸を巻き付けていくものが知られている。
【０００３】
また、回転式クリールを用いるとともに糸交換工程を省略し、糸交換時の時間的ロスを皆無としかつ複本数の糸を同時に整経ドラムに巻き付けることを可能とし、さらに整経作業時間の短縮を可能とした複本数同時整経可能なサンプル整経機も知られている（特許文献２、特許文献３及び特許文献４）。
【０００４】
固定式クリールは、同種及び／又は異種の糸を巻いてある複数本のボビンを有しており、前記選択装置により自在に糸交換しながら糸一本ずつの整経をすることができるため、柄整経の整経作業を行うことができる利点があるが、一本の糸を順次整経ドラムに巻き付けるために整経作業時間がそれだけかかるという不利がある。一方、回転式クリールは、同種及び／又は異種の糸を巻いてある複数本のボビンを有しており、無地整経（例えば、赤色糸一色）、１対１（例えば、赤１と白１の繰り返し、Ｓ撚１本とＺ撚１本の繰り返し）、２対２（例えば、赤２本と白２本の繰り返し、Ｓ撚２本とＺ撚２本の繰り返し）等のごく限られたパターンの反復（繰返し）整経に使用可能である。この回転式クリールは、限られたパターン整経以外の柄整経の整経作業を行うことはできないという不利があるが、複本数の糸を同時に整経ドラムに巻き付けるために整経時間が大幅に短縮されるという利点がある。
【０００５】
上記した従来のサンプル整経機においては、整経ドラムの前面に回転可能かつ放射状に取り付けられた１本又は複数本のヤーンガイドと、該ヤーンガイドに対応して設置された固定式クリール及び／又は回転クリールと、ヤーンガイドに供給される糸の交換を行う糸選択装置とを必須の基本的構造とするものであった。
【０００６】
一方、糸選択装置を用いることなく、糸の巻き付けと糸の巻き付け休止とを行うようにした柄経糸用部分整経機も提案されている（特許文献５及び６）が、糸の巻き付け休止時に糸を無駄に消費したり、または、糸の巻き付けと糸の巻き付け休止との切り替えがスムーズに行えないなどの問題があった。
【特許文献１】特許第１５２９１０４号
【特許文献２】特許第１７６７７０６号
【特許文献３】ＵＳＰ４,９７２,６６２
【特許文献４】ＥＰ３７５４８０
【特許文献５】特許第３２６３０５０号
【特許文献６】特開２００２−２１２８５１号
【発明の開示】
【発明が解決しようとする課題】
【０００７】
本発明者は、上記した問題点を解消した新規な機構を有するサンプル整経機を開発すべく研究を重ねた結果、本発明に到達したものである。
【０００８】
本発明の目的は、従来の糸選択装置の設置を省略することができるとともに糸の巻き付けと糸の巻き付け休止との切り替えを極めてスムーズに行うことができ、複本数同時整経による柄整経を効率よく短時間で整経することができるようにした糸回収機構付サンプル整経機を提供することにある。
【課題を解決するための手段】
【０００９】
上記課題を解決するために、本発明の糸回収機構付サンプル整経機は、内ドラム板及び外ドラム板を備えた整経ドラムと、該整経ドラムの外ドラム板に相対向して設けられかつ複数個のボビンを有する回転クリールと、該回転クリールの回転と同期的に回転しかつ該ボビンから引き出された糸を該整経ドラムに巻き付ける複数本のヤーンガイドと、該ボビンから引き出されかつ該整経ドラムに巻き付ける巻付糸と該整経ドラムに巻き付けない休止糸とに分ける糸巻付切替手段と、該休止糸を回収する糸回収機構とからなるものである。
【００１０】
前記糸巻付切替手段としては、前記ヤーンガイドを糸巻き付け位置及び糸巻き付け休止位置に変位可能とすることにより構成し、該ヤーンガイドが糸巻き付け位置にある時は前記糸を前記整経ドラムに巻き付けて巻付糸としかつ該ヤーンガイドが糸巻き付け休止位置にある時は該糸の前記整経ドラムへの巻き付けを行わないで休止糸とするように構成したものを用いることができる。
【００１１】
前記整経ドラムの外ドラム板側の端部にガイドロッドを取り付け、該ガイドロッドが該外ドラム板側の端部に取り付けられたリング状ガイドロッド本体と、該ガイドロッド本体の一部分を開口して形成された糸ガイド開口部と、該糸ガイド開口部を開閉するように該糸ガイド開口部の一端縁部に取り付けられた可動片とから構成され、該ガイドロッドを前記糸巻付切替手段として用い、該可動片が、該糸ガイド開口部を閉鎖する中立方向、巻付糸を休止糸の軌道に引き入れる休止方向、及び休止糸を巻付糸の軌道に引き出す巻付方向の少なくとも３つの方向に変位するように構成することも可能である。
【００１２】
また、前記整経ドラムの外ドラム板側の端部にガイドロッドを取り付け、該ガイドロッドが該外ドラム板側の端部に取り付けられたリング状ガイドロッド本体と、該ガイドロッド本体の一部分を開口して形成された糸ガイド開口部と、該糸ガイド開口部を開閉するように該糸ガイド開口部の一端縁部に取り付けられた可動片とから構成され、該ガイドロッドを前記糸巻付切替手段からの糸の軌道変換手段として用い、該可動片が、該糸ガイド開口部を閉鎖する中立方向、巻付糸を休止糸の軌道に引き入れる休止方向、及び休止糸を巻付糸の軌道に引き出す巻付方向の少なくとも３つの方向に変位するように構成することも好ましい。
【００１３】
前記糸回収機構が、前記整経ドラムの外ドラム板の外方でかつ整経ドラム中心線上に設置された糸回収ガイドと、該糸回収ガイドと該外ドラム板との間に設置された糸巻取リールとからなる構成とするのが好適である。
【００１４】
前記糸巻付切替手段により巻付糸から休止糸になった糸及び休止糸から巻付糸になった糸は所定時間経過後糸切断手段により切断されるようにするのが好ましい。
【００１５】
前記回転クリール及び複数本のヤーンガイドが前記整経ドラムに対して接離自在に移動可能とすれば、整経開始前や整経終了後の作業の簡易化をはかることができる。
【００１６】
整経開始に先立ち、前記ボビンから引き出した糸をヤーンガイド先端のガイド穴に通した後、前記糸回収ガイドの糸回収孔を通し、前記糸巻取リールに固定し、その後整経を開始するようにすれば、糸の巻き付け及び休止糸の回収が確実に行われ、好ましい。
【発明の効果】
【００１７】
本発明の糸回収機構付サンプル整経機によれば、従来の糸選択装置の設置を省略することができるとともに糸の巻き付けと糸の巻き付け休止との切り替えを極めてスムーズに行うことができ、複本数同時整経による柄整経が可能となり、効率よく短時間で整経することができるという効果が達成される。
【発明を実施するための最良の形態】
【００１８】
以下に、本発明の実施の形態を添付図面に基づいて説明するが、図示例はあくまでも例示的なものであり、本発明の技術思想から逸脱しない限り図示例以外にも種々の変形が可能なことはいうまでもない。
【００１９】
図１は、本発明のサンプル整経機の一つの実施の形態を示す断面的概略説明図である。図２は図１の要部の拡大図である。図３は糸回収機構部分を示す拡大断面説明図である。図４は整経ドラム及びヤーンガイドの摘示拡大正面図である。図５はヤーンガイドと回転クリールを示す摘示拡大正面図である。図６はヤーンガイドの先端部材の動きを示す摘示拡大説明図である。
【００２０】
図１において、１０はサンプル整経機で、整経ドラム１２を有している。該整経ドラム１２は、内ドラム板１４と、該内ドラム板１４に相対向して設けられた外ドラム板１６と、該内ドラム板１４及び該外ドラム板１６を介して横架された複数本のドラムスポーク１８と、該ドラムスポーク１８の外面に移動可能に設置されたコンベアベルト２０とから構成されている。２２はコンベアベルト用駆動ローラであり、２４，２６，２８はコンベアベルト用ガイドローラである。このコンベアベルト２０は整経ドラム１２上に巻き付けた糸を搬送する搬送ベルトである。
【００２１】
３０は床３２上に設置された整経機フレームである。該フレーム３０には主軸パイプ３４が水平方向に突設されている。該主軸パイプ３４には上記整経ドラム１２が回転可能に取り付けられている。３６，３６は主軸メタルである。この整経ドラム１２は、整経時には不図示のドラムロック機構により固定され、成形した糸を織布ビーム、ワープビームに巻き返す際はロックが解除され回転可能となる。
【００２２】
３８は床３２上に上記整経機フレーム３０と相対向して設置されたスライドベースである。該スライドベース３８の上面には上記主軸パイプ３４と平行する方向にスライドレール４０が設けられている。該スライドレール４０上にはスライドブロック４１を介して回転クリールフレーム４２が移動可能に載置され、上記整経機フレーム３０に対して接離可能とされている。
【００２３】
上記回転クリールフレーム４２の上面には軸受メタル４３を介してドライブシャフト４４が回転可能に設置されている。該ドライブシャフト４４はプーリベルト４６を介してドライブモータ４８によって駆動せしめられる。前記ドライブシャフト４４には回転クリール５０が取り付けられており、該回転クリール５０は該ドライブシャフト４４の回転とともに回転する。該回転クリール５０は支持プレート５３を有しており、該支持プレート５３には異種及び／又は同種の糸５４を巻いてある複数本のボビン５２を立てることができる。５６は該ボビン５２の前方に支持シャフト５８を介して設けられたガイドプレートで、該ボビン５２からの糸５４をガイドする作用を行う。
【００２４】
該ドライブシャフト４４の先端部には複数本のヤーンガイド６０が取り付けられており、該ヤーンガイド６０は該ドライブシャフト４４の回転とともに前記回転クリール５０と同軸的に回転する。該ヤーンガイド６０は、長尺のヤーンガイドアーム６２、該ヤーンガイドアーム６２の先端に取り付けられたヤーンガイド位置変換装置６４及び該ヤーンガイド位置変換装置６４に取り付けられたヤーンガイド部材６６から構成されている。図１〜図６に示した図示例では、糸巻付切替手段は該ヤーンガイド位置変換装置６４とヤーンガイド部材６６とからなり、前記ボビン５２から引き出された糸５４を整経ドラム１２に巻き付ける巻付糸５４と整経ドラム１２に巻き付けない休止糸５４（休止糸は５４ａとして示す場合がある）とに分ける作用を行う。
【００２５】
該ヤーンガイド部材６６は、図６に示したように、該ヤーンガイド位置変換装置６４の作用により、糸巻き付け位置Ｐ１及び糸巻き付け休止位置Ｐ２に回転角度αをもって変位することができ、また必要に応じて公知の整列巻き動作を行うことができるようになっている。このヤーンガイド位置変換装置６４によるヤーンガイド部材６６の変位は、該装置６４に内蔵されるモータ、ソレノイド又はシリンダー等に行われる。従って、後述するように、ヤーンガイド部材６６が糸巻き付け位置にある時は糸５４の巻き付けが行われ、一方ヤーンガイド部材６６が糸巻き付け休止位置にある時は糸５４の巻き付けが行われないようにすることにより、設定された糸順序に従い自動的に糸の巻き付け及び休止を行い、整経ドラム１２上に糸５４が巻き付けられる。図６において、６６ａは、ヤーンガイド６０の先端、即ちヤーンガイド部材６６の先端に設けられたガイド穴である。
【００２６】
図４及び図５において、６７ａ〜６７ｆは綾取バー（６７ａはカット綾上バー、６７ｂはカット綾下バー）である。なお、サンプル整経機１０の基本的構成及び作用は上記した特許公報等により広く知られており、公知の構成及び作用についての詳細な説明は省略する。
【００２７】
前記整経ドラム１２の外ドラム板１６の中央部分の外方には、支持ロッド６８を介して糸回収ガイド７０が設けられている。該糸回収ガイド７０の中央部には糸回収孔７２が穿設されている。７４はモータ等によって駆動される糸巻取リールで、該糸回収孔７２から該糸回収ガイド７０の裏面側に誘導されてくる休止糸５４ａ及び整経始めの仕掛糸５４ａの回収巻取を行う。この糸巻取リール７４の回転は、前記回転クリール５０の回転に正比例して行われるのが好適である。該糸回収ガイド７０及び糸巻取リール７４によって糸回収機構が構成される。図４において、７６ａ，７６ｂは糸切断装置で、カット綾上バー６７ａ，カット綾下バー６７ｂと糸回収孔７２とをそれぞれ結ぶ線上又はその近傍に設置されている。該糸切断装置７６ａは、糸５４が巻き付け休止状態から巻き付け状態へと変化した糸５４ａ1を切断し、また、該糸切断装置７６ｂは、糸５４が巻き付け状態から巻き付け休止状態へ変化した糸５４ａ2を切断する作用を行う。
【００２８】
上記した構成によりその作用を説明する。整経作業の開始に先立って、前記ボビン５２から引き出した全ての糸５４を前記ヤーンガイド６０の先端のガイド穴６６ａに通した後、図３に示すように（最初は全て仕掛糸、即ち休止糸であるので図面上は５４ａで示した）糸回収ガイド７０の糸回収孔７２を通して糸巻取リール７４に巻付け固定する。この状態から整経を開始する。即ち、予め設定された柄データ（糸配列順、色糸配列順）によって指定されたヤーンガイド部材６６がカット綾下バー６７ｂ近傍まで回転し巻き付け位置Ｐ１に変位することにより整経ドラム１２への巻き付けが開始され、巻き付けを開始したヤーンガイド６６の糸（図４の糸５４ａ1の軌道となる）は各々のヤーンガイド６６が１回転以上経過後、切断装置７６ａにより切断される。
【００２９】
次に、糸巻き付け中の糸５４（図４の位置Ｐ１のヤーンガイド６６の糸）が予め設定された柄データ（糸配列順、色糸配列順）により一時的に不要となる場合は、指定されたヤーンガイド部材６６がカット綾下バー６７ｂ近傍に進行した時に該ヤーンガイド部材６６を糸巻き付け休止位置Ｐ２に変位させることにより、糸５４はヤーンガイド６０の回転につれて、図４の糸５４ａ2の軌道を経て他の休止糸５４ａと一緒に撚り付き糸巻取リール７４に巻き取られる。この休止糸となった糸５４ａ2はその糸に対応するヤーンガイド６０が３回転以上経過後切断される。切断された糸の片方端は他の休止中の糸５４ａと撚り付きながら糸巻取リール７４に巻き取られ、切断された一方の片端はフリーとなったままで整経が進行される。この糸が再び予め設定されたデータにより必要となった場合はヤーンガイド部材６６がカット綾下バー６７ｂ近傍に進行した時に該ヤーンガイド部材６６を巻き付け位置Ｐ１に変位することにより再び整経ドラム１２への巻き付けが開始される。その他のヤーンガイド６０も予め設定された柄データにより順次同様の操作を行うことによって整経が進行する。
【００３０】
上述したように糸巻き付け休止状態から糸巻き付け状態への変換動作及び糸巻き付け状態から糸巻き付け休止状態への変換動作をいずれも糸の浪費を極力抑え円滑に行うことができ、複本数同時整経による柄整経を効率よく短時間で行うことが可能となる。
【００３１】
なお、図１〜図６に示した実施の形態においては、回転クリール５０とヤーンガイド６０とはドライブシャフト４４に一体的に装着された例が示されているが、回転クリール５０とヤーンガイド６０とを別体として設置し、互いに同期的に回転させる構成としても同様の作用効果が達成される。
【００３２】
さらに、本発明においては、前記整経ドラムの外ドラム板側の端部にガイドロッドを取り付け、該ガイドロッドを前記糸巻付切替手段又は該糸巻付切替手段からの糸の軌道変換手段として用いる構成を採用することも可能であり以下に図７〜図１１を参照して説明する。
【００３３】
図７はガイドロッドを取り付けた状態の整経ドラムの外ドラム板側の端面を示す概略説明図である。図８は図７において巻付糸がガイドロッドの糸ガイド開口部から休止状態となるまでの糸軌道を示す説明図である。図９は巻付糸が休止状態に切り替えられる際の可動片の位置及び糸軌道を示す説明図である。図１０は糸ガイド開口部が可動片によって閉鎖された状態を示す説明図である。図１１は休止糸が巻付状態に切り替えられる際の可動片の位置及び糸軌道を示す説明図である。
【００３４】
図７において、８０はガイドロッドで、整経ドラム１２の外ドラム板１６側の端部に取り付けられたリング状のガイドロッド本体８２を有している。該ガイドロッド本体８２の一部分には糸ガイド開口部８４が開口して形成されている。この糸ガイド開口部８４の開口位置は図８に示されるごとくカット綾上バー６７ａとカット綾下バー６７ｂの間に位置するように設定される。該糸ガイド開口部８４の一端縁部には可動片８６が該糸ガイド開口部８４をヤーンガイド回転方向に対して開口しまた閉鎖することができるように回動可能に取り付けられている。この可動片８６は、該ガイド開口部８４を閉鎖する中立方向（図１０）、巻付糸を休止糸の軌道に引き入れる休止方向（図８及び図９）、及び休止糸を巻付糸の軌道に引き出す巻付方向（図１１）の少なくとも３つの方向に変位可能とされている。このガイドロッド８０を用いることによって、巻付糸から休止糸、又は休止糸から巻付糸への切り替えを容易に行うことができる。
【００３５】
巻付糸を休止糸に切り替える場合には、図８及び図９に示すように、可動片８６を巻付糸を休止糸の軌道に引き入れる休止方向（即ち、整経ドラム１２方向）に変位させて糸ガイド開口部８４を開口しておき、巻き付け中の糸５４（巻付糸）はこの糸ガイド開口部８４から可動片８６によって休止方向に引き込まれて休止糸５４ａとなり、軌道Ａを通り、所定時間経過後、軌道Ｂに移行し、前述した休止糸５４ａの場合と同様に図示しない他の休止糸と一緒に撚りあわされ、糸回収孔７２を経て糸巻取リール７４に巻き取られる。
【００３６】
休止糸を巻付糸に切り替える場合には、図１１に示すように、可動片８８を休止糸を巻付糸の軌道に引き出す巻付方向（即ち、回転クリール５０方向）に変位させて糸ガイド開口部８４を開口しておき、休止中の糸（休止糸）５４ａはガイド開口部８４から可動片８６によって巻付方向に引き出され、ヤーンガイド６０によって整経ドラム１２上に巻き付けられる。
【００３７】
このように、上記ガイドロッド８０は、巻付糸から休止糸、又は休止糸から巻付糸への切り替えを行うことができるので、ヤーンガイド６０を常時巻き付け状態に設定しておいて糸巻付切替手段として利用することができ、またヤーンガイド６０を糸巻き付け状態と糸巻き付け休止状態に変位可能としておき、糸の軌道変換手段として利用することもできる。
【００３８】
尚、ガイドロッド８０を糸巻付切替手段として用いる場合には、各部材の作用及び糸軌道の変動は前述したヤーンガイド６０を糸巻付切替手段として用いた場合と同様に行われるので、再度の説明は省略するが、例えば、糸巻き付け休止状態から巻き付け状態になった糸５４ａ1及び巻き付け状態から巻き付け休止状態になった糸５４ａ2の糸は前述の糸切断装置７６ａ及び７６ｂによって同様に切断される。
【図面の簡単な説明】
【００３９】
【図１】本発明のサンプル整経機の一つの実施の形態を示す断面的概略説明図である。
【図２】図１の要部の拡大図である。
【図３】糸回収機構部分を示す拡大断面説明図である。
【図４】整経ドラム及びヤーンガイドの摘示拡大正面図である。
【図５】整経ドラムとヤーンガイドと回転クリールを示す摘示拡大正面図である。
【図６】ヤーンガイドの先端部材の動きを示す摘示拡大説明図である。
【図７】ガイドロッドを取り付けた状態の整経ドラムの外ドラム板側の端面を示す概略説明図である。
【図８】図７において巻付糸がガイドロッドの糸ガイド開口部から休止状態となるまでの糸軌道を示す説明図である。
【図９】巻付糸が休止状態に切り替えられる際の可動片の位置及び糸軌道を示す説明図である。
【図１０】糸ガイド開口部が可動片によって閉鎖された状態を示す説明図である。
【図１１】休止糸が巻付状態に切り替えられる際の可動片の位置及び糸軌道を示す説明図である。
【符号の説明】
【００４０】
１０：サンプル整経機、１２：整経ドラム、１４：内ドラム板、１６：外ドラム板、１８：ドラムスポーク、２０：コンベアベルト、３０：整経機フレーム、３２：床、３４：     主軸パイプ、３６：主軸メタル、３８：スライドベース、４０：スライドレール、４１：スライドブロック、４２：回転クリールフレーム、４３：軸受メタル、４４：ドライブシャフト、４６：プーリベルト、４８：ドライブモータ、５０：回転クリール、５２：ボビン、５３：支持プレート、５４：糸、５８：支持シャフト、６０：ヤーンガイド、６２：ヤーンガイドアーム、６４：ヤーンガイド位置変換装置、６６：ヤーンガイド部材、６７ａ〜６７ｆ：綾取バー、６８：支持ロッド、７０：糸回収ガイド、７２：糸回収孔、７４：糸巻取リール、７６：糸切断装置。８０：ガイドロッド、８２：ガイドロッド本体、８４：ガイド開口部、８６：可動片。                      
【図１】
2005213695.tif 000003
【図２】
2005213695.tif 000004
【図３】
2005213695.tif 000005
【図４】
2005213695.tif 000006
【図５】
2005213695.tif 000007
【図６】
2005213695.tif 000008
【図７】
2005213695.tif 000009
【図８】
2005213695.tif 000010
【図９】
2005213695.tif 000011
【図１０】
2005213695.tif 000012
【図１１】
2005213695.tif 000013